(57)【要約】  【課題】  操作中にアクチュエータが脱落する恐れがないと共に操作者にアクチュエータの姿勢変化時にクリック感を与えることのできる構造のＦＰＣ用コネクタを提供する。  【解決手段】  絶縁ハウジング１と、複数の端子２、３と、アクチュエータ４とを備えている。複数の端子２，３は、隣り合う一組の端子毎に、ＦＰＣ挿入口１３に向かって延びる係合縁３５１が形成されてアクチュエータ４のカム部４７と係合するようにした加圧ビーム３５を有する端子３と、ＦＰＣ挿入口１３に向かって延びる第１の拘束縁２５１と、この第１の拘束縁２５１に略直角を成して連続する第２の拘束縁２５２が形成されてアクチュエータ４に設けたピン部４４と係合するようにしたフック状の拘束ビーム２５を有する端子２とで構成されている。アクチュエータ４が、ＦＰＣを挿入可能とする第１の位置と、ＦＰＣの接点と端子２、３のコンタクト片２３、３３の間に電気的接続を形成する第２の位置の間で姿勢を変化が可能であり、かつ、姿勢変化する際の脱落が防止されている。【選択図】  図１
2006179505.tif 000002
【特許請求の範囲】
【請求項１】
ＦＰＣ挿入口（１３）と、ＦＰＣ挿入口（１３）に連通する接続空洞（１４）が形成されている絶縁ハウジング（１）と、
前記絶縁ハウジング（１）に横並びで装着され、それぞれのコンタクト片（２３、３３）が前記接続空洞（１４）に臨んでいる複数の端子（２、３）と、
前記接続空洞（１４）に挿入されたＦＰＣ（７）を端子（２、３）のコンタクト片（２３、３３）に向けて押圧するための加圧部（４８）と、この加圧部（４８）を移動させるためのカム部（４７）を有するアクチュエータ（４）とを備えているＦＰＣ用コネクタにおいて、
前記複数の端子（２、３）は、隣り合う一組の端子毎に、その端子基部（３Ａ）からＦＰＣ挿入口（１３）に向かって延びる係合縁（３５１）が形成されて前記アクチュエータ（４）のカム部（４７）と係合するようにした加圧ビーム（３５）を有する端子（３）と、その端子基部（２Ａ）からＦＰＣ挿入口（１３）に向かって延びる第１拘束縁（２５１）と、この第１の拘束縁（２５１）に略直角を成して連続する第２の拘束縁（２５２）が形成されて前記アクチュエータ（４）に設けたピン部（４４）と係合するようにしたフック状の拘束ビーム（２５）を有する端子（２）とで構成され、
アクチュエータ（４）が、ＦＰＣ（７）を挿入可能とする第１の位置と、ＦＰＣ（７）の接点と端子（２、３）のコンタクト片（２３、３３）の間に電気的接続を形成する第２の位置の間で姿勢を変化できるようにされていると共に、
第１の位置から第２の位置へ姿勢変化する際に、前記ピン部（４４）は、前記第１の拘束縁（２５１）と前記第２の拘束縁（２５２）によって移動を制限され、前記カム部（４７）は前記加圧ビーム（３５）によって移動を制限され、
前記姿勢変化の開始段階では、カム部（４７）の係合角部（４７１）と前記係合縁（３５１）に形成されている凹部（３５２）の係合部を支点として傾きを変化し、姿勢変化が進むと、前記ピン部（４４）が前記第２の拘束縁（２５２）に係合する位置まで移動し、
更に姿勢変化を進めていくと、前記係合角部（４７１）と前記凹部（３５２）の係合が外れる段階を経て、カム部（４７）の係合平面（４７２）が前記係合縁（３５１）に次第に平行となるように、前記ピン部（４４）を支点として傾きを変化していく、ＦＰＣ用コネクタ。
【請求項２】
前記カム部（４７）の係合角部（４７１）が、前記ピン部（４４）の中心位置から離れた位置で、支点として傾きを変化する、請求項１に記載のＦＰＣ用コネクタ。
【請求項３】
前記第２の位置において、前記係合平面（４７２）との前記加圧ビーム（３５）の直線状の係合縁（３５１）が係合している、請求項１に記載のＦＰＣ用コネクタ。
【請求項４】
第１の位置から第２の位置へ姿勢変化させる際、アクチュエータ（４）の両端部に設けたボス（４０１）は、絶縁ハウジング（１）の側壁（１７）の中間位置に形成された縦溝（１７１）の中に突出し、アクチュエータ（４）の両端部に設けた制限突部（４０２）は前記側壁（１７）に形成されている係合部（１７２）のＲ状外周（１７２Ｒ）と係合し、さらに、それを乗り越える、請求項１記載のＦＰＣ用コネクタ。
【発明の詳細な説明】
【技術分野】
【０００１】
この発明は、一般にＦＰＣ、ＦＦＣなどと呼ばれている平型柔軟ケーブル（この明細書でもこれらを代表して単に「ＦＰＣ」という。）を接続するためのＦＰＣ用コネクタに関する。
【背景技術】
【０００２】
従来、このようなＦＰＣ用コネクタとして、ＦＰＣ挿入口と、ＦＰＣ挿入口に連通する接続空洞が形成されている絶縁ハウジングと、前記絶縁ハウジングに横並びで装着され、それぞれのコンタクト片が前記接続空洞に臨んでいる複数の端子と、前記接続空洞に挿入されたＦＰＣを端子のコンタクト片に向けて押圧するための加圧部と、この加圧部を移動させるためのカム部を有するアクチュエータとを備えているＦＰＣ用コネクタがある（例えば、特許第２８９２９４５号公報）。
【０００３】
前記アクチュエータは、絶縁ハウジングや端子との間で回動自在に係合する軸支部を構成して、この軸支部を固定された回動中心として回動可能とされている。アクチュエータが回動すると、カム部のカム作用によって加圧部が移動し、端子のコンタクト片と対向するように挿入されたＦＰＣをコンタクト片側に押圧付勢して、ＦＰＣの接点とコンタクト片に形成されたコンタクト部を所定の接触圧で当接させて、ＦＰＣと端子が電気的に接続するようにされている。
【発明の開示】
【発明が解決しようとする課題】
【０００４】
このように、従来のＦＰＣ用コネクタにおいては、ＦＰＣを挿入して接続する際には、アクチュエータを回動させるようにしていたが、アクチュエータの回動中心が、絶縁ハウジングや端子との間で回動自在に係合させて構成した軸支部であったので、回動操作の際に係合が外れて、アクチュエータが脱落しやすいという問題点があった。このＦＰＣ用コネクタにおいても、小型化、薄型化、多極化が進んでおり、それに対応させた設計にするにしたがって、係合が外れにくい軸支部を構成することが難しくなっていた。
【０００５】
この発明は、このような問題点に鑑みてなされたもので、アクチュエータが操作中に脱落する恐れをなくした構造のＦＰＣ用コネクタを提供することを目的としている。
【課題を解決するための手段】
【０００６】
このような目的のもとになされた本願の請求項１の発明のＦＰＣ用コネクタは、ＦＰＣ挿入口と、ＦＰＣ挿入口に連通する接続空洞が形成されている絶縁ハウジングと、
前記絶縁ハウジングに横並びで装着され、それぞれのコンタクト片が前記接続空洞に臨んでいる複数の端子と、
前記接続空洞に挿入されたＦＰＣを端子のコンタクト片に向けて押圧するための加圧部と、この加圧部を移動させるためのカム部を有するアクチュエータとを備えているＦＰＣ用コネクタにおいて、
前記複数の端子は、隣り合う一組の端子毎に、その端子基部からＦＰＣ挿入口に向かって延びる係合縁が形成されて前記アクチュエータのカム部と係合するようにした加圧ビームを有する端子と、その端子基部からＦＰＣ挿入口に向かって延びる第１拘束縁と、この第１の拘束縁に略直角を成して連続する第２の拘束縁が形成されて前記アクチュエータに設けたピン部と係合するようにしたフック状の拘束ビームを有する端子とで構成され、
アクチュエータが、ＦＰＣを挿入可能とする第１の位置と、ＦＰＣの接点と端子のコンタクト片の間に電気的接続を形成する第２の位置の間で姿勢を変化できるようにされていると共に、
第１の位置から第２の位置へ姿勢変化する際に、前記ピン部は、前記第１の拘束縁と前記第２の拘束縁によって移動を制限され、前記カム部は前記加圧ビームによって移動を制限され、
前記姿勢変化の開始段階では、カム部の係合角部と前記係合縁に形成されている凹部の係合部を支点として傾きを変化し、姿勢変化が進むと、前記ピン部が前記第２の拘束縁に係合する位置まで移動し、
更に姿勢変化を進めていくと、前記係合角部と前記凹部の係合が外れる段階を経て、カム部の係合平面が前記係合縁に次第に平行となるように、前記ピン部を支点として傾きを変化していく、ＦＰＣ用コネクタである。
【０００７】
更に本願の請求項２の発明は、前記請求項１の発明に於いて、前記カム部の係合角部が、前記ピン部の中心位置から離れた位置で、支点として傾きを変化する、ＦＰＣ用コネクタである。
【０００８】
加えて本願の請求項３の発明は、前記請求項１の発明に於いて、前記第２の位置において、前記係合平面との前記加圧ビームの直線状の係合縁が係合しているＦＰＣ用コネクタである。
【０００９】
加えて本願の請求項４の発明は、請求項１の発明に於いて、第１の位置から第２の位置へ姿勢変化させる際、アクチュエータの両端部に設けたボスは、絶縁ハウジングの側壁の中間位置に形成された縦溝の中に突出し、アクチュエータの両端部に設けた制限突部は前記側壁に形成されている係合部のＲ状外周と係合し、さらに、それを乗り越えるＦＰＣ用コネクタである。
【００１０】
このように構成されたこの発明のＦＰＣ用コネクタでは、アクチュエータが、加圧部を移動させるためのカム部に加えてピン部を設けた構成とされ、カム部はＦＰＣ挿入口に向かって延びている加圧ビームの係合縁に係合させると共に、ピン部はＦＰＣ挿入口に向かって延びている拘束ビームの第１の拘束縁と、第１の拘束縁に略直角を成して連続させた第２の拘束縁に係合するようにしたので、アクチュエータのカム部とピン部の部分が複数の端子の加圧ビームと拘束ビームで囲まれた構成となって、ＦＰＣの接続操作の際にアクチュエータが外れて脱落しないようにすることができる。
【発明の効果】
【００１１】
以上請求項１と請求項２の発明では、ＦＰＣ用コネクタを小型化しても、アクチュエータがハウジングから外れることなく姿勢変化し、操作者にアクチュエータの姿勢変化時にクリック感をあたえることができる。
請求項３と請求項４の発明では、アクチュエータが第２の位置にあるとき、第１の位置に向かって姿勢変化する好ましくない挙動を阻止できる。
【発明を実施するための最良の形態】
【００１２】
以下、この発明の実施形態を添付の図を参照して説明する。
実施形態のＦＰＣ用コネクタは、図２及び図３に表れているような外観をしており、端子２、３とアクチュエータ４が図１の（ａ）、（ｂ）に表れているように係合している。このＦＰＣ用コネクタは、絶縁性のプラスチックを細長い箱状に成形した絶縁ハウジング１と、薄金属板を打ち抜いて成形された複数の端子２、３と、絶縁性のプラスチックを断面が略二等辺三角形の棒状に成形したアクチュエータ４とで構成されている。端子２、３は、絶縁ハウジング１の長手方向に所定のピッチで横並びに装着されており、図２の左側から数えて奇数極の端子２と偶数極の端子３の形状が異なっている。図１の（ａ）は奇数極の端子２に沿って示されており、図１の（ｂ）は偶数極の端子３に沿って示されている。なお、本実施形態では端子２を奇数極、端子３を偶数極としたが、逆にしても良いのは言うまでもない。
【００１３】
絶縁ハウジング１は、前壁１１と後壁１２を有している。前壁１１に比べて後壁１２がやや低く形成されている。前壁１１の上端内側をＦＰＣ挿入口１３として、前壁１１の内側に沿って形成された接続空洞１４と連通している。また、前壁１１と後壁１２の間には長手方向に沿って仕切り壁１５が設けられ、この仕切り壁１５と後壁１２の間に所定のピッチで端子装着溝１６が形成されている。
【００１４】
絶縁ハウジング１の両端部底面には、図３に示されているように、金属ネイル５が矢示６の方向で圧入されており、金属ネイル５の半田テイル５１を取付基板（図示せず）に半田付けできるようにされている。
【００１５】
奇数極を構成した端子２は、図４のように、キャリア２１に沿って並列した状態で打ち抜き成形され、キャリア２１から分離されて所定の端子装着溝１６に装着されている。この端子２は、端子装着溝１６に収容される長方形状の装着片２２の下部一側から前記接続空洞１４に臨むようにした片持ち梁状のコンタクト片２３が上部に向かって延びていると共に、コンタクト片２３の基部から半田テイル２４が延びている。また、装着片２２の上部一側（コンタクト片２３側）からフック状の拘束ビーム２５が上方に延びている。装着片２２の高さは、前記絶縁ハウジング１の後壁１２の高さと略等しくされており、装着片２２を端子装着溝１６に装着すると、拘束ビーム２５は絶縁ハウジング１の上部に突出できるようにされている。
【００１６】
前記フック状の拘束ビーム２５は、前記ＦＰＣ挿入口１３方向（上方）に向かって略垂直に延びる第１の拘束縁２５１と、この第１の拘束縁２５１に略直角をなして連続して、略水平に延びる第２の拘束縁２５２とでフック形状とされて、コンタクト片２３に背を向けた状態となっている。第１の拘束縁２５１の下端は傾斜縁２５３に連続しており、拘束ビーム２５の基部が装着片２２に向かって順次幅広となっている。
【００１７】
前記コンタクト片２３は、接続空洞１４の略全長に亘って延びる長さとされ、接続空洞１４内で、絶縁ハウジング１の前壁１１と後壁１２が対向する方向（図１（ａ）中、左右方向）で弾性変形できるようにされている。そして、コンタクト片２３の先端部内側（装着片２２側）に山形のコンタクト部２３１が突出して形成されている。コンタクト片２３の基部から延びている半田テイル２４は、装着片２２を端子装着溝１６に装着すると、前記金属ネイル５の半田テイル５１と略面一となるようにされている。
【００１８】
偶数極を構成した端子３も同様に、図５に示したようにキャリア３１に沿って並列状態で打ち抜き成形され、キャリア３１から分離されて所定の端子装着溝１６に装着されている。この端子３は、長方形状の装着片３２の下部一側から前記接続空洞１４に臨むようにした片持ち梁状のコンタクト片３３が上部に向かって延びている。また、装着片３２の下部他側から半田テイル３４が延びている。この端子３の装着片３２も絶縁ハウジング１の後壁１２の高さと略等しくされており、装着片３２の上部他側、すなわち、コンタクト片３３から遠い側から上方に向かって延びるように設けた加圧ビーム３５が絶縁ハウジング１の上部に突出するようにされている。
【００１９】
加圧ビーム３５は、上方に向かって真直ぐに延びており、その内側縁、すなわち、コンタクト片３３側の略垂直な縁が前記ＦＰＣ挿入口１３の方向に向かって延びる係合縁３５１を形成している。そして、係合縁３５１の中間部には円弧状の凹部３５２が形成されている。
【００２０】
この端子３のコンタクト片３３も、接続空洞１４の略全長に亘って延びる長さとされ、接続空洞１４内で絶縁ハウジング１の前壁１１と後壁１２が対向する方向（図１（ｂ）中、左右方向）で弾性変形ができるようにされている。コンタクト片３３の先端部内側には、山形のコンタクト部３３１が突出形成されている。また、半田テイル３４が前記金属ネイル５の半田テイル５１と略面一となるようにされている点も、端子２の場合と同様である。
【００２１】
このような端子２と端子３が絶縁ハウジング１の端子装着溝１６に交互に装着されているもので、それぞれのコンタクト片２３、３３が接続空洞１４で交互に並び、各コンタクト部２３１、３３１が横一列に並んでいる。端子２の半田テイル２４は絶縁ハウジング１の前壁１１の前方に突出して並ぶ一方で、端子３の半田テイル３４が絶縁ハウジング１の後壁１２の後方に突出して並んでいる。
【００２２】
端子２に設けた拘束ビーム２５と、端子３に設けた加圧ビーム３５は、絶縁ハウジング１の上部の後壁１２寄りの位置で千鳥状の配置となって交互に並んで、拘束ビーム２５の第１の拘束縁２５１と加圧ビーム３５の係合縁３５１が向き合うようにしている。そして、隣り合う端子２と端子３の拘束ビーム２５と加圧ビーム３５が一組となってアクチュエータ４に対する係合部を構成している。
【００２３】
アクチュエータ４は、図２、３及び図６−図１０に示したような形状に成形されている。断面が略二等辺三角形の棒状で、絶縁ハウジング１の側壁１７間の距離に略等しい長さとされて、絶縁ハウジング１の上部に組み付けができるようにされている。絶縁ハウジング１の上部に突出する端子２の拘束ビーム２５と端子３の加圧ビーム３５とに対応させて、拘束ビーム受入溝４１と加圧ビーム受入窓孔４２が、頂部４３より前縁側（図６において下側）に形成されている。
【００２４】
拘束ビーム受入溝４１は、前記拘束ビーム２５の厚さ（即ち、端子２の厚さ）に略等しい隙間の溝で形成されて、拘束ビーム２５を受け入れられるようにしてある。図９に表れているように、フック形状の拘束ビーム２５と係合できるようにした、断面を円形としたピン部４４が、拘束ビーム受入溝４１を横断するように、アクチュエータ４の長手方向で設けられている。加圧ビーム受入窓孔４２は、前記加圧ビーム３５の厚さ（即ち、端子３の厚さ）に略等しい隙間を有し、かつ加圧ビーム３５の幅よりやや大きい幅を有する窓孔とされて、アクチュエータ４を貫通するように形成されて加圧ビーム３５を受け入れられるようにしてある。
【００２５】
加圧ビーム受入窓孔４２の位置に対応させて、アクチュエータ４の前縁側には逃げ溝４５も形成されている。逃げ溝４５の隙間と加圧ビーム受入窓孔４２の隙間は等しくされている。また、これらの隙間と拘束ビーム受入溝４１の隙間も等しくされている。
【００２６】
図１０に表れているように、前記加圧ビーム受入窓孔４２と逃げ溝４５に挟まれた部分には充実肉部４６が残り、この充実肉部４６をカム部４７としている。加圧ビーム受入窓孔４２に受け入れた加圧ビーム３５と協働して、アクチュエータ４の前縁で構成される加圧部４８を移動させるためのカム部４７である。カム部４７は断面が略方形で、加圧ビーム受入窓孔４２に受け入れる加圧ビーム３５の係合縁３５１と対向して係合できるようにした係合角部４７１と、この係合角部４７１の上側に連続する係合平面４７２を有している。図１０に点線で表れているように、拘束ビーム受入溝４１に設けたピン部４４の中心は、このカム部４７の係合角部４７１及び係合平面４７２の位置と重ならないように偏心した位置にされている。
【００２７】
アクチュエータ４の頂部４３より後縁側には貫通する溝や窓孔は形成されていない。したがって、頂部４３より後縁側の傾斜した上面は平坦面４９となっている。また、アクチュエータ４の両端面には、ボス４０１と制限突部４０２が突出させて設けてある。これらのボス４０１と制限突部４０２は、図２、３に表れているように、絶縁ハウジング１と共同して、アクチュエータ４の姿勢変化の範囲を制限するために設けられている。ボス４０１は、絶縁ハウジング１の側壁１７の中間位置に形成された縦溝１７１の中に突出し、制限突部４０２は側壁１７の後側に形成されている係合部１７２の外周に沿って移動するようにされている。
【００２８】
以上の如くにして端子２、３が絶縁ハウジング１の端子装着溝１６に交互に装着され、絶縁ハウジング１から突出した端子２の拘束ビーム２５と端子３の加圧ビーム３５に対してアクチュエータ４が組み付けられて、図２に示したＦＰＣ用コネクタが構成されている。図１及び図１１に示されているように、拘束ビーム２５が対応する拘束ビーム受入溝４１に収容されて、第１の拘束縁２５１と第２の拘束縁２５２で構成されるフック状の部分にピン部４４を収容して相互に係合できるように対向している。また、加圧ビーム３５は対応する加圧ビーム受入窓孔４２に収容されて、係合縁３５１とカム部４７の係合角部４７１及び係合平面４７２が相互に係合できるように対向している。
【００２９】
アクチュエータ４は、図１に点線で示し、かつ、図１１に示した第１の位置と、図１に実線で示した第２の位置の間で姿勢変化が可能であり、アクチュエータ４を第１の位置にすると、ＦＰＣ挿入口１３を通して接続空洞１４にＦＰＣを挿入でき、アクチュエータ４を第２の位置にすると、挿入したＦＰＣと端子２、３の電気的接続が形成できるようになっている。
【００３０】
アクチュエータ４が第１の位置と第２の位置の間で姿勢を変化する場合、アクチュエータ４のピン部４４は、フック状の拘束ビーム２５によって前方（図１（ａ）中、左方向）及び上方（図１（ａ）中、上方向）への移動を第１の拘束縁２５１と第２の拘束縁２５２の位置までに制限される。また、アクチュエータ４のカム部４７は、加圧ビーム３５によって後方（図１（ｂ）中、右方向）への移動を係合縁３５１の位置までに制限される。このように、拘束ビーム２５と加圧ビーム３５によってアクチュエータ４の一部分、つまりピン部４４とカム部４７の部分を囲むようにしているので、アクチュエータ４が姿勢変化をする際に、拘束ビーム２５と加圧ビーム３５で構成したアクチュエータ４に対する係合部から外れて脱落するのが防止されている。
【００３１】
アクチュエータ４が第１の位置と第２の位置の間で姿勢変化する場合、固定された一つの回動支点（軸支部）の回りで回動するのではなく、支点を変化させながら傾きを変化させていく。アクチュエータ４のカム部４７に形成された係合角部４７１及び係合平面４７２（特に、係合角部４７１）と、ピン部４４を偏心させてある為である。アクチュエータ４が第１の位置にあるときは、カム部４７の係合角部４７１が加圧ビーム３５の係合縁３５１に形成した凹部３５２に嵌まった状態で係合している。したがって、図１１の第１の位置にあるアクチュエータ４を図１の第２の位置に向かって姿勢変化する当初は、係合角部４７１と凹部３５２の係合部分を支点として傾きを変化していくが、この過程でピン部４４は拘束ビーム２５の第１の拘束縁２５１に沿うようにして移動し、第２の拘束縁２５２に近接して係合するように変化していく。ピン部４４が第２の拘束縁２５２に係合すると、以後の移動が拘束されるので、ここからはピン部４４を支点として傾きを変化していくようになるのである。ピン部４４を支点として傾きを変化していく過程では、係合角部４７１と凹部３５２の係合が外れ、係合平面４７２と係合縁３５１が対向して、最終的に互いに平行となって当接し、係合するようになる。
【００３２】
このように、姿勢変化の過程で支点を変化させたのは、図１と図１１に示した比較的狭い姿勢変化の範囲であっても、アクチュエータ４の加圧部４８に必要な移動量を確保するためである。接続空洞１４に挿入されたＦＰＣを端子２、３のコンタクト片２３、３３に向けて十分に押圧し、ＦＰＣの接点とコンタクト片２３、３３のコンタクト部２３１、３３１が電気的接続に適切な当接圧で係合させることができるようになっている。
【００３３】
接続空洞１４にＦＰＣ７を挿入した状態で、アクチュエータ４を第１の位置から第２の位置に向かって姿勢を変化させたときの、カム部４７の挙動が図１２−図１７に示してあり、ピン部４４の挙動が図１８−図２３に示してある。図１２と図１８、図１３と図１９、がそれぞれ対応している。図１２と図１８に示される姿勢変化の開始段階では、カム部４７の係合角部４７１と加圧ビーム３５の係合縁３５１に形成されている凹部３５２の係合部を支点として傾きを変化していく。図１３と図１９に示される段階では、ピン部４４が拘束ビーム２５の第２の拘束縁２５２に係合する位置まで移動し、ここからはピン部４４を支点として傾きを変化していく。この結果、図１４と図２０に示される段階では、カム部４７の係合角部４７１と凹部３５２の係合が外れるように変化していく。
【００３４】
更に姿勢変化を進めていくと、図１５と図２１に示されるように、係合角部４７１と凹部３５２の係合が完全に外れる段階を経て、図１６から図１７に示されるように、カム部４７の係合平面４７２が加圧ビーム３５の係合縁３５１に次第に平行となるように変化していく。この過程で、ピン部４４は、図２２から図２３に示されるように、拘束ビーム２５の第２の拘束縁２５２に沿って後方に、即ち、第１の拘束縁２５１から離れるように移動していく。したがって、ピン部４４が支点となって姿勢を変化する過程においても、支点は固定されることなく移動する。
【００３５】
以上のようなアクチュエータ４の姿勢変化によって、アクチュエータ４の加圧部４８はＦＰＣ７を端子２、３のコンタクト片２３、３３に向けて押圧し、コンタクト片２３、３３の弾性変形の復元力と共同して、ＦＰＣ７の接点（図示せず）とコンタクト部２３１、３３１を適度の当接圧で係合させる。図１７及び図２３に示されたアクチュエータ４の第２の位置は、カム部４７の係合平面４７２と加圧ビーム３５の直線状の係合縁３５１が係合しているために、アクチュエータ４が第１の位置に向かって姿勢を変化させる望ましくない挙動を制限することができる。したがって、接続状態を確実に維持することができ、接続の信頼性を高めることができる。また、アクチュエータ４を第１の位置から第２の位置へ姿勢変化させる際、アクチュエータ４の両端部に設けた制限突部４０２のＲ状外周部４０２Ｒが、係合部１７２のＲ状外周１７２Ｒと係合し、さらに、それを乗り越えるので（図２４、図２５参照）、この望ましくない挙動を一層確実に阻止することができる。
【００３６】
ＦＰＣ７の接続を解除するときは、アクチュエータ４の後縁側を引き上げるようにして、アクチュエータ４を第２の位置から第１の位置に向かって姿勢変化させればよい。カム部４７とピン部４４は、図１７から図１２及び図２３から図１８のように変化して、アクチュエータ４の傾きが変化していくことになる。アクチュエータ４が第１の位置になると、加圧部４８の押圧力は除かれるので、ＦＰＣ７を引き抜くことができる。アクチュエータ４が図１１と図１８に示した第１の位置に姿勢を変化する際には、カム部４７の係合角部４７１が加圧ビーム３５の係合縁３５１に形成した凹部３５２に落ち込むように嵌まるので、この際にアクチュエータ４の操作者にクリック感を与えることができる。
【００３７】
アクチュエータ４の第１の位置は、アクチュエータ４の端部に設けた制限突部４０２が絶縁ハウジング１の側壁１７に設けた係合部１７２に乗り上げるようにしても維持される。アクチュエータ４が第１の位置にあるときは、頂部４３の後縁側に形成された平坦面４９が略水平となるので、この平坦面４９を吸着ロボットなどの吸着面として利用することも可能である。なお、本実施の形態においては、端子２と端子３がそれぞれ隣り合うように絶縁ハウジング１に圧入されている例について説明したが、本実施の形態と同様の作用、効果が得られるものであれば、それに限定されるものではない。
【図面の簡単な説明】
【００３８】
【図１】この発明の実施形態のＦＰＣ用コネクタの端子に沿って示した断面図で、（ａ）は奇数極の端子に沿って示した断面図であり、（ｂ）は偶数極の端子に沿って示した断面図である。
【図２】同じく実施形態のＦＰＣ用コネクタの斜視図である。
【図３】実施形態のＦＰＣ用コネクタの絶縁ハウジングにネイルを装着する説明図である。
【図４】実施形態のＦＰＣ用コネクタを構成した奇数極の端子の平面図である。
【図５】同じく、偶数極の端子の平面図である。
【図６】実施形態のＦＰＣ用コネクタを構成したアクチュエータの平面図である。
【図７】同じく、アクチュエータの正面図である。
【図８】同じく、アクチュエータの左側面図である。
【図９】図６のＡ−Ａ線に沿って示した拡大断面図である。
【図１０】図６のＢ−Ｂ線に沿って示した拡大断面図である。
【図１１】実施形態のＦＰＣ用コネクタのアクチュエータを第１の姿勢にした断面図で、（ａ）は奇数極の端子に沿って示した断面図であり、（ｂ）は偶数極の端子の沿って示した断面図である。
【図１２】実施形態のＦＰＣ用コネクタにＦＰＣを接続する説明図で、ＦＰＣを挿入した状態の図である。
【図１３】同じく、アクチュエータを第２の姿勢に向かって姿勢変化させる第１段階の図である。
【図１４】同じく、アクチュエータを第２の姿勢に向かって姿勢変化させる第２段階の図である。
【図１５】同じく、アクチュエータを第２の姿勢に向かって姿勢変化させる第３段階の図である。
【図１６】同じく、アクチュエータを第２の姿勢に向かって姿勢変化させる第４段階の図である。
【図１７】同じく、アクチュエータを第２の姿勢として接続を完了した状態の図である。
【図１８】アクチュエータのピン部の挙動を説明する図で、図１２に対応する図である。
【図１９】同じく、アクチュエータのピン部の挙動を説明する図で、図１３に対応する図である。
【図２０】同じく、アクチュエータのピン部の挙動を説明する図で、図１４に対応する図である。
【図２１】同じく、アクチュエータのピン部の挙動を説明する図で、図１５に対応する図である。
【図２２】同じく、アクチュエータのピン部の挙動を説明する図で、図１６に対応する図である。
【図２３】同じく、アクチュエータのピン部の挙動を説明する図で、図１７に対応する図である。
【図２４】アクチュエータが第１の位置にあるときのＦＰＣコネクタの側面図である。
【図２５】アクチュエータが第２の位置にあるときのＦＰＣコネクタの側面図である。
【符号の説明】
【００３９】
１          絶縁ハウジング
１１        前壁
１２        後壁
１３        ＦＰＣ挿入口
１４        接続空洞
１５        仕切り壁
１６        端子装着溝
１７        側壁
１７１      縦溝
１７２      係合部
２          端子
２１        キャリア
２２        装着片
２３        コンタクト片
２３１      コンタクト部
２４        半田テイル
２５        拘束ビーム
２５１      第１の拘束縁
２５２      第２の拘束縁
２５３      傾斜縁
３          端子
３１        キャリア
３２        装着片
３３        コンタクト片
３３１      コンタクト部
３４        半田テイル
３５        加圧ビーム
３５１      係合縁
３５２      凹部
４          アクチュエータ
４１        拘束ビーム受入溝
４２        加圧ビーム受入窓孔
４３        頂部
４４        ピン部
４５        逃げ溝
４６        充実肉部
４７        カム部
４７１      係合角部
４７２      係合平面
４８        加圧部
４９        平坦面
４０１      ボス
４０２      制限突部
５          金属ネイル
５１        半田テイル
６          矢示
７          ＦＰＣ
【図１】
2006179505.tif 000003
【図２】
2006179505.tif 000004
【図３】
2006179505.tif 000005
【図４】
2006179505.tif 000006
【図５】
2006179505.tif 000007
【図６】
2006179505.tif 000008
【図７】
2006179505.tif 000009
【図８】
2006179505.tif 000010
【図９】
2006179505.tif 000011
【図１０】
2006179505.tif 000012
【図１１】
2006179505.tif 000013
【図１２】
2006179505.tif 000014
【図１３】
2006179505.tif 000015
【図１４】
2006179505.tif 000016
【図１５】
2006179505.tif 000017
【図１６】
2006179505.tif 000018
【図１７】
2006179505.tif 000019
【図１８】
2006179505.tif 000020
【図１９】
2006179505.tif 000021
【図２０】
2006179505.tif 000022
【図２１】
2006179505.tif 000023
【図２２】
2006179505.tif 000024
【図２３】
2006179505.tif 000025
【図２４】
2006179505.tif 000026
【図２５】
2006179505.tif 000027